(57)【要約】【課題】  鋼材の変更や新たな部材を追加すること無く、機器を取り付けるマウントアングルの強度を向上させたラックの機器取り付け構造を提供する。【解決手段】  マウントアングル１は、ラック前面側に形成された機器取り付け部１１と、ラック後方側に形成された強度を上げるためのアングル部１２と、機器取り付け部１１とアングル部１２との間に設けられた帯状の胴部１ａとを有し、機器取り付け部１１は、機器２のマウント部２ａを固定するためのマウント面１１ｂを備え、マウント面１１ｂと胴部１ａとの間に、ラック前面側にコ字状に折り曲げて突出させた折り曲げ部１１ａを上下に亘り形成した。【選択図】  図１
2012209369.tif 000002
【特許請求の範囲】
【請求項１】
ラック内の左右に立設した一対のマウントアングルにラックマウント機器の左右マウント部を固定することでラック内に機器を搭載するラックの機器取り付け構造であって、
前記マウントアングルは、ラック前面側に形成された機器取り付け部と、ラック後方側に形成された強度を上げるためのアングル部と、前記機器取り付け部と前記アングル部との間に設けられた帯状の胴部とを有し、
前記機器取り付け部は、機器のマウント部を固定するためのマウント面を有し、前記マウント面と前記胴部との間にラック前面側にコ字状に折り曲げて突出させた折り曲げ部を上下に亘り形成されてなることを特徴とするラックの機器取り付け構造。
【請求項２】
前記マウント面は、前記折り曲げ部端部から５〜２０ｍｍ後方に落とし込んで形成されたことを特徴とする請求項１記載のラックの機器取り付け構造。
【発明の詳細な説明】
【技術分野】
【０００１】
本発明はラックマウント型の電子機器を収納するラックに関し、特に電子機器の左右マウント部を固定するラックの機器取り付け構造の改良に関する。
【背景技術】
【０００２】
サーバやルータ等の電子機器は、通常左右端部にマウント部を備えたラックマウント型の機器として構成され、マウント部を介してラックにねじ止めされて収納固定される。この場合、ラックには前面側左右に電子機器をねじ止めするためのマウントアングルが上下にわたり立設されている（例えば、特許文献１参照）。
図４はこのマウントアングルの一例を示し、電子機器２２をマウントアングル２１に取り付けた状態を示す横断面説明図である。マウントアングル２１の一方の側部には電子機器２２を取り付けるための平坦なマウント面２１ａが上下にわたり形成され、他方の側部には強度アップのためにコ字状に折り曲げられたアングル部２１ｂが形成されている。
【先行技術文献】
【特許文献】
【０００３】
【特許文献１】特開２００３−７０１１０号公報（第３図）
【発明の概要】
【発明が解決しようとする課題】
【０００４】
しかしながら、近年の高実装化に伴い収納される電子機器の重量が増加しており、マウントアングル２１のさらなる強度アップが求められている。そのためマウントアングル２１の厚みを増したり、新たな部材を追加することが考えられるが、施工性やコストの面で容易に実施できる対策ではなかった。
【０００５】
そこで、本発明はこのような問題点に鑑み、鋼材の変更や新たな部材を追加すること無く、機器を取り付けるマウントアングルの強度の向上を図ったラックの機器取り付け構造を提供することを目的としている。
【課題を解決するための手段】
【０００６】
上記課題を解決する為に、請求項１の発明は、ラック内の左右に立設した一対のマウントアングルにラックマウント機器の左右マウント部を固定することでラック内に機器を搭載するラックの機器取り付け構造であって、前記マウントアングルは、ラック前面側に形成された機器取り付け部と、ラック後方側に形成された強度を上げるためのアングル部と、前記機器取り付け部と前記アングル部との間に設けられた帯状の胴部とを有し、前記機器取り付け部は、機器のマウント部を固定するためのマウント面を有し、前記マウント面と前記胴部との間にラック前面側にコ字状に折り曲げて突出させた折り曲げ部を上下に亘り形成されてなることを特徴とする。
この構成によれば、マウントアングルのマウント面の基部に折り曲げ部を設けたことにより、マウントアングルのねじれ強度を上げることができ、搭載する機器の重量増に対処することが可能となる。
また、搭載される機器はマウントアングルの一段奥まった部位に取り付けられるため、ラック内の機器前面に空間を設けることができ、この空間により機器前面に接続されたケーブル等は曲げ曲率を大きく採ることができる。この結果、ケーブルに対するストレスを軽減することができるし、機器の前面を目隠し板で覆う場合等、目隠し板と機器の間に空間をつくりやすく目隠し板等の設置が容易となる。
【０００７】
請求項２の発明は、請求項１に記載の構成において、前記マウント面は、前記折り曲げ部端部から５〜２０ｍｍ後方に落とし込んで形成されたことを特徴とする。
この構成によれば、折り曲げ部によりマウントアングルの強度アップを図ることができるし、搭載する機器の位置が大きく後方に移動することがなく、機器が搭載し辛くなったり操作がし辛くなることもない。
【発明の効果】
【０００８】
本発明によれば、マウントアングルのマウント面の基部に折り曲げ部を設けたことにより、マウントアングルのねじれ強度を上げることができ、搭載する機器の重量増に対処することが可能となる。
また、搭載される機器はマウントアングルの一段奥まった部位に取り付けられるため、ラック内の機器前面に空間を設けることができ、この空間により機器前面に接続されたケーブル等は曲げ曲率を大きく採ることができる。この結果、ケーブルに対するストレスを軽減することができるし、機器の前面を目隠し板で覆う場合等、目隠し板と機器の間に空間をつくりやすく目隠し板等の設置が容易となる。
【図面の簡単な説明】
【０００９】
【図１】本発明に係るラックの機器取り付け構造を示すマウントアングル部の横断面説明図である。
【図２】図１のマウントアングルを抜き出した図である。
【図３】機器を取り付けたマウントアングルの斜視説明図である。
【図４】従来のラックの機器取り付け構造を示すマウントアングル部の横断面説明図である。
【発明を実施するための形態】
【００１０】
以下、本発明を具体化した実施の形態を、図面を参照して詳細に説明する。図１は本発明に係るラックの機器取り付け構造を示す一方のマウントアングル部の横断面説明図である。図１において、１はマウントアングル、２はマウントアングル１に固定されたサーバ等の電子機器（以下、単に「機器」とする）、３は機器２に接続されたケーブル、４はケーブル３を把持するためにマウントアングル１に装着された把持具である。図１において下方がラック前方である。
【００１１】
マウントアングル１は、箱状のラック内の前面側左右に一対立設するように上下方向に配設された棒状体である。中央に平坦な胴部１ａを有し、この胴部１ａを中心に一方の側部に機器取り付け部１１が連続形成され、他方の側部にアングル部１２が連続形成されている。マウントアングル１は、胴部１ａがラックの側面に平行になるようにラックの左右に、互いに向き合うように配置される。
【００１２】
機器取り付け部１１は、ラック前面側となる胴部１ａの一方の側部からラック前面に平行なラック内側方向に折り曲げて形成され、その後更にラック後方に向けて折り曲げることで、結果としてコ字状に前方に突出した折り曲げ部１１ａを形成している。こうして折り曲げ部１１ａを形成した後、更にラック内側方向である横方向に折り曲げて、機器２を取り付けるための平坦なマウント面１１ｂを形成している。このマウント面１１ｂに、機器２の端部に設けられたマウント部２ａが図示しないボルトにより螺着固定される。
【００１３】
図２は、図１に示すマウントアングル１を抜き出した図であり、Ｌ１はマウントアングル１のラック前面側端部からマウント面１１ｂまでの距離を示している。折り曲げ部１１ａを設けた結果、マウント面１１ｂはマウントアングル１の端部より距離Ｌ１だけ後方に落とし込んだ位置に形成される。この距離（落とし込み量）Ｌ１は例えば１０ｍｍで形成される。
尚、折り曲げ部１１ａ及びマウント面１１ｂは、胴部１ａに沿って一様に形成され、マウント面１１ｂには、機器２を取り付けるためのねじ孔（図示せず）が一定の間隔で形成されている。
【００１４】
アングル部１２は、マウントアングル１の強度を上げるために形成され、胴部１ａのラック後方側となる他方の側部からラック内部方向へコ字状の突起部を有する形状となっている。そして、このように形成されたマウントアングル１は、ねじ止めあるいは溶接により図示しないラックフレームと一体化される。
【００１５】
図３は、機器２を取り付けた状態を示すマウントアングル１の斜視説明図であり、機器２の前面にケーブル３が接続された状態を示している。また、ここでは機器２の前面にケーブルサポート６が設置された状態を示している。ケーブルサポート６は、左右端部にはねじ止め部が設けられた単純な棒体であり、左右のマウントアングル１，１の折り曲げ部１１ａを利用して取り付けられ、ケーブル３の接続部を保護している。
マウント面１１ｂが一段落とし込んで形成されているため、ケーブルサポート６とマウント面１１ｂの間に空間を設け易く、別途空間を設けるためにケーブルサポート６を曲げ加工等して前方へせり出させる必要がないため、単純な棒状体からなるケーブルサポートにより、ケーブル３の接続部を良好に保護することができる。
【００１６】
また、７は目隠し板であり、平坦な板体で形成されている。取り付けられた機器２は、このように前面を目隠し板７で覆う場合がある。目隠し板７は、間違って機器２を操作されないよう取り付けられるもので、ケーブルサポート６と同様にマウントアングル１の折り曲げ部１１ａを利用して固定することで、マウント面１１ｂが後方に落とし込んで形成されているため、機器２前面にケーブル３が接続されていても、機器２と目隠し板７の間に空間が形成されることで折り曲げ加工等することなく良好に保護することができる。
【００１７】
このように、マウントアングル１のマウント面１１ｂの基部に折り曲げ部１１ａを設けたことにより、マウントアングル１のねじれ強度を上げることができ、搭載する機器２の重量増に対処することが可能となる。そして、搭載される機器２は１段奥まった部位に配置されることになるため、ラックの前面と機器２の間に空間が形成され、機器２に接続されたケーブル３等は曲げ曲率を大きく採ることができ、ケーブルに対するストレスを軽減することができる。
また、マウント部１１ｂの落とし込み量Ｌ１を１０ｍｍとすることで、マウントアングル１の強度アップを図ることができるし、搭載する機器２の位置が大きく後方に移動することがなく、機器２が搭載し辛くなったり操作がし辛くなることもない。
【００１８】
尚、胴部１ａは平坦に形成されていが、ラックのフレーム形状等に合わせ適宜変更されるものであるし、側部に設けたアングル部１２の形状も、強度アップの目的に沿って適宜変更されるものである。
また、落とし込み量Ｌ１を１０ｍｍとしているが、５〜２０ｍｍ程度が好ましく、５ｍｍ未満であれば、強度アップや機器前面に形成される空間が十分でなくなるし、２０ｍｍを超えると搭載機器の後方への移動量が大きくなるため、機器背部の空間の確保が難しい場合が発生する。
【符号の説明】
【００１９】
１・・マウントアングル、１ａ・・胴部、２・・機器、３・・ケーブル、６・・ケーブルサポート、７・・目隠し板、１１・・機器取り付け部、１１ａ・・折り曲げ部、１１ｂ・・マウント面、１２・・アングル部。
【図１】
2012209369.tif 000003
【図２】
2012209369.tif 000004
【図３】
2012209369.tif 000005
【図４】
2012209369.tif 000006